(57)【要約】【課題】  縮小率の異なる様々な種類のフィギュアに対応して使用できる複数の画像シールを備えたシール材を提供する。【解決手段】  各種の印刷物に示された画像、例えば、映画や化粧品等の各種のポスターに表示された画像等を原画像として用い、この原画像の縮小率を異ならせた縮小サイズの異なる複数種の画像シールＡ１〜Ａ５及びＢ１〜Ｂ５を分離可能な状態で剥離シート１上に剥離可能に貼着させた。【選択図】  図２
0003112739.tif 000002
【実用新案登録請求の範囲】
【請求項１】
原画像の縮小率を異ならせた縮小サイズの異なる複数種の画像シールが分離可能な状態で剥離シート上に剥離可能に貼着されてなることを特徴とするシール材。
【請求項２】
請求項１に記載したシール材において、上記の原画像が各種の印刷物に表示された画像であることを特徴とするシール材。
【請求項３】
請求項１又は請求項２に記載したシール材において、上記の原画像が各種のポスターに表示された画像であることを特徴とするシール材。
【考案の詳細な説明】
【技術分野】
【０００１】
この考案は、画像シールを剥離シートに剥離可能に貼着させたシール材に係り、縮小率の異なる各種の大きさのフィギュアに対応できるようにしたシール材に関するものである。
【背景技術】
【０００２】
従来から、漫画等の各種の画像を表示した画像シールを剥離シートに剥離可能に貼着させたシール材が多く販売されているが、このような画像シールは日常生活において一般に使用する鞄等の物品に貼付させるのに対応した大きさになっている。
【０００３】
一方、従来からフィギュアとして、縮小率が異なった様々な大きさの人形、車や家等の各種の模型、人形等を飾る部屋やこの部屋にセットする家具の模型等が販売されており、特に近年においては、このようなフィギュアの収集マニアのために、縮小率の異なる様々な種類のフィギュアが数多く販売されるようになった。
【０００４】
そして、このようなフィギュアの収集マニアにおいては、人形等を飾るフィギュアの部屋を装飾する一部として、例えば、この部屋の壁に映画のポスター等の各種のポスターを縮小させたものを貼り付けるようにしたり、ＤＶＤソフトの各種のケースを縮小させたものを配置させたりすることが行われている。
【０００５】
ここで、上記のように人形等を飾るフィギュアの部屋の装飾として、例えば映画ポスター等の各種のポスターを飾る場合、元のポスターを部屋の大きさに対応するようにして縮小させる必要がある。
【０００６】
このため、マニアの中では、上記のような各種のポスターを入手し、或いはインターネット等で配信されているこれらの画像を入手し、これをフィギュアの部屋の大きさ等に合うように縮小させて、各種のポスターの縮小版を作製することが検討されている。
【０００７】
しかし、フィギュアの縮小率は１／６，１／８，１／１８，１／２４等様々であり、それぞれの縮小率に対応するようにして、上記のような各種のポスターの縮小版を作製することは非常に面倒であり、また著作権の関係からも問題が生じるおそれがあった。
【考案の開示】
【考案が解決しようとする課題】
【０００８】
この考案は、画像シールを剥離シートに剥離可能に貼着させたシール材において、上記のような縮小率の異なる様々な種類のフィギュアに対応して使用できるようにすることを課題とするものである。
【課題を解決するための手段】
【０００９】
この考案におけるシール材においては、上記のような課題を解決するため、原画像の縮小率を異ならせた縮小サイズの異なる複数種の画像シールを分離可能な状態で剥離シート上に剥離可能に貼着させるようにした。
【００１０】
ここで、画像シールに縮小させて表示するのに使用する原画像としては、各種の印刷物に表示された画像、例えば、映画や化粧品等の各種のポスターに表示された画像や、ＤＶＤソフト等の各種のケースの表面に表示された画像等、フィギュアに使用される各種の物品に印刷された画像が対象となる。
【考案の効果】
【００１１】
この考案におけるシール材においては、上記のように原画像の縮小率を異ならせた縮小サイズの異なる複数種の画像シールを分離可能な状態で剥離シート上に剥離可能に貼着させたため、フィギュアの縮小率に対応した縮小率の画像が表示されている画像シールを剥離シートから剥離させて、この画像シールをフィギュアの本体及び背景等の適当な位置に貼り付けるだけでよくなる。
【００１２】
ここで、上記の原画像に映画や化粧品等の各種のポスターに表示された画像を用いた場合、上記の縮小サイズの異なる複数種の画像シールは、それぞれ縮小率が異なるポスターの縮小版となり、フィギュアの縮小率に対応した縮小率の画像シールを、人形等を飾るフィギュアの部屋の壁に貼り付けるだけで、簡単にこの部屋に対応した大きさのポスターが飾られることになる。
【考案を実施するための最良の形態】
【００１３】
以下、この考案の実施形態に係るシール材を添付図面に基づいて具体的に説明する。なお、この考案に係るシール材は、特に下記の実施形態に示したものに限定されるものではなく、その要旨を変更しない範囲において適宜変更して実施できるものである。
【００１４】
この実施形態に係るシール材においては、図１に示すように、剥離シート１の上に粘着剤２ａによりラベル基材２が剥離可能に取り付けられている。
【００１５】
ここで、この実施形態に係るシール材においては、図１に示すように、２種類のポスターの画像をそれぞれ原画像とし、上記のラベル基材２の表面にそれぞれの原画像を１／３２，１／２４，１／１８，１／８，１／６に縮小させた印刷を行うと共に印刷部分の周囲に切り込み３を設けて、縮小サイズが１／３２，１／２４，１／１８，１／８，１／６になった２種類の画像シールＡ１〜Ａ５及びＢ１〜Ｂ５を形成し、各画像シールＡ１〜Ａ５及びＢ１〜Ｂ５の部分に縮小サイズを表示すると共に、画像シールＡ１〜Ａ５及びＢ１〜Ｂ５が形成されていないラベル基材２の隅部に部数表示部４を設け、この部数表示部４に印刷部数を印刷させるようにしている。
【００１６】
そして、上記のように形成した画像シールＡ１〜Ａ５及びＢ１〜Ｂ５の中から適当な画像シールを剥離させて、図３に示すように、フィギュアの部屋１０の壁１１にポスターとして飾る場合には、フィギュアの部屋１０の縮小サイズに対応した縮小サイズの画像シールを選択し、例えば、フィギュアの部屋１０の縮小サイズが１／２４である場合には、縮小サイズが１／２４になった上記の画像シールＡ２，Ｂ２を剥離シート１１から剥離し、これらの画像シールＡ２，Ｂ２を上記の壁１１に貼り付けるようにする。このようにすると、上記のフィギュアの部屋１０に対応した大きさのポスターが飾られることになる。
【００１７】
なお、この実施形態においては、上記のように原画像にポスターを用い、ポスターサイズの原画像を上記のように縮小させた各画像シールＡ１〜Ａ５及びＢ１〜Ｂ５を作製し、これをフィギュアの部屋１０の壁１１にポスターとして貼付させるようにしたが、原画像は上記のようなポスターに限られるものではない。例えば、図示していないが、原画像にＤＶＤソフト等の各種のケースの表面に表示された画像を用い、この画像を上記のような縮小サイズに縮小させた各画像シールを作製し、これをＤＶＤソフト等の各種のケースを縮小させたフィギュアのケースの表面に貼付させるようにすることも可能である。
【００１８】
なお、上記のようにポスター等の原画像を縮小させた画像シールを作製したり、販売したりするにあたっては、当然、原画像の著作権者の使用許諾等が必要となる。
【図面の簡単な説明】
【００１９】
【図１】この考案の一実施形態に係るシール材の断面説明図である。
【図２】同実施形態に係るシール材において、ラベル基材に縮小サイズが異なる複数の画像シールを形成した状態を示した概略平面図である。
【図３】同実施形態に係るシール材から適当な縮小サイズの画像シールを剥離させて、フィギュアの部屋の壁に貼り付けた状態を示した概略説明図である。
【符号の説明】
【００２０】
１  剥離シート
２  ラベル基材
２ａ  粘着剤
３  切り込み
４  部数表示部
１０  フィギュアの部屋
１１  フィギュアの部屋の壁
Ａ１〜Ａ５，Ｂ１〜Ｂ５  画像シール
【図１】
0003112739.tif 000003
【図２】
0003112739.tif 000004
【図３】
0003112739.tif 000005